(57)【特許請求の範囲】
【請求項１】
ＪＯＢに基づいて画像形成を行う画像形成部と、
前記ＪＯＢに関する表示および操作が可能な表示操作部と、
前記ＪＯＢを管理し、前記画像形成部および前記表示操作部を制御する制御部と、を備え、
前記制御部は、前記表示操作部に対し、出力の予約順に一画面に所定個数内のＪＯＢを並べ、所定個数を超えるＪＯＢが存在する場合はユーザーの指示操作によりページを切り替え、またはスクロールさせたリストの表示が可能であり、ＪＯＢ状況に変化があると前記表示中のリストの表示を更新し、前記表示中のリスト中のＪＯＢをユーザーの指示操作により選択が可能でありかつ選択ＪＯＢに対して指示操作が可能であり、前記表示中のリストの表示更新をする場合でページ切り替えまたはスクロールを含む表示更新が必要な場合、前記画面に表示されている少なくとも前記選択ＪＯＢを前記画面に留めて表示し、選択ＪＯＢへの指示操作があった場合は、指示操作に関するポップアップ画面の表示によって、選択ＪＯＢが覆い隠されない位置に前記選択ＪＯＢが表示されるように該選択ＪＯＢの表示位置を決定し、ＪＯＢの選択終了後に、ＪＯＢ状況に変化があると、表示更新にしたがって再描画をすることを特徴とする画像形成装置。
【請求項２】
ＪＯＢに基づいて画像形成を行う画像形成部と、
前記ＪＯＢに関する表示および操作が可能な表示操作部と、
前記ＪＯＢを管理し、前記画像形成部および前記表示操作部を制御する制御部と、を備え、
前記制御部は、前記表示操作部に対し、出力の予約順に一画面に所定個数内のＪＯＢを並べ、所定個数を超えるＪＯＢが存在する場合はユーザーの指示操作によりページを切り替え、またはスクロールさせたリストの表示が可能であり、ＪＯＢ状況に変化があると前記表示中のリストの表示を更新し、前記表示中のリスト中のＪＯＢをユーザーの指示操作により選択が可能でありかつ選択ＪＯＢに対して指示操作が可能であり、前記表示中のリストの表示更新をする場合でページ切り替えまたはスクロールを含む表示更新が必要な場合、前記画面に表示されている少なくとも前記選択ＪＯＢを前記画面に留めて表示し、選択ＪＯＢへの指示操作があった場合は、選択ＪＯＢを表示画面中のリストの先頭側または末尾側に表示するとともに、該選択ＪＯＢを覆い隠さない位置に、指示操作に関するポップアップ画面を表示し、ＪＯＢの選択終了後に、ＪＯＢ状況に変化があると、表示更新にしたがって再描画をすることを特徴とする画像形成装置。
【請求項３】
ＪＯＢに基づいて画像形成を行う画像形成部と、
前記ＪＯＢに関する表示および操作が可能な表示操作部と、
前記ＪＯＢを管理し、前記画像形成部および前記表示操作部を制御する制御部と、を備え、
前記制御部は、前記表示操作部に対し、出力の予約順に一画面に所定個数内のＪＯＢを並べ、所定個数を超えるＪＯＢが存在する場合はユーザーの指示操作によりページを切り替え、またはスクロールさせたリストの表示が可能であり、ＪＯＢ状況に変化があると前記表示中のリストの表示を更新し、前記表示中のリスト中のＪＯＢをユーザーの指示操作により選択が可能でありかつ選択ＪＯＢに対して指示操作が可能であり、前記表示中のリストの表示更新をする場合でページ切り替えまたはスクロールを含む表示更新が必要な場合、前記画面に表示されている少なくとも前記選択ＪＯＢを前記画面に留めて表示し、選択ＪＯＢがある場合、ＪＯＢの出力完了に関わらず、選択ＪＯＢが存在する表示ページでは表示リスト中のＪＯＢの表示位置は繰り上げせず、１ページ分のＪＯＢ数に該当するＪＯＢ数の出力が完了した時点で、表示ページのページ数のみをマイナス１して表示ページを切り替えることを特徴とする画像形成装置。
【請求項４】
ＪＯＢに基づいて画像形成を行う画像形成部と、
前記ＪＯＢに関する表示および操作が可能な表示操作部と、
前記ＪＯＢを管理し、前記画像形成部および前記表示操作部を制御する制御部と、を備え、
前記制御部は、前記表示操作部に対し、出力の予約順に一画面に所定個数内のＪＯＢを並べ、所定個数を超えるＪＯＢが存在する場合はユーザーの指示操作によりページを切り替え、またはスクロールさせたリストの表示が可能であり、ＪＯＢ状況に変化があると前記表示中のリストの表示を更新し、前記表示中のリスト中のＪＯＢをユーザーの指示操作により選択が可能でありかつ選択ＪＯＢに対して指示操作が可能であり、前記表示中のリストの表示更新をする場合でページ切り替えまたはスクロールを含む表示更新が必要な場合、前記画面に表示されている少なくとも前記選択ＪＯＢを前記画面に留めて表示し、選択ＪＯＢがある場合、選択ＪＯＢが存在する表示ページで表示リストの先頭に位置するまでは、ＪＯＢの出力完了に伴い逐次ＪＯＢを繰り上げて前記リストを表示更新し、選択ＪＯＢが表示ページの表示リストの先頭から前のページに移動したときは表示ページを前のページに切り替えることを特徴とする画像形成装置。
【請求項５】
前記制御部は、選択ＪＯＢがある場合、選択ＪＯＢが存在する表示ページで表示リストの先頭に位置するまでは、ＪＯＢの出力完了に伴い逐次ＪＯＢを繰り上げて前記リストを表示更新し、選択ＪＯＢが表示ページの表示リストの先頭から前のページに移動したときは表示ページを前のページに切り替えることを特徴とする請求項３に記載の画像形成装置。
【請求項６】
ＪＯＢに基づいて画像形成を行う画像形成部と、
前記ＪＯＢに関する表示および操作が可能な表示操作部と、
前記ＪＯＢを管理し、前記画像形成部および前記表示操作部を制御する制御部と、を備え、
前記制御部は、前記表示操作部に対し、出力の予約順に一画面に所定個数内のＪＯＢを並べ、所定個数を超えるＪＯＢが存在する場合はユーザーの指示操作によりページを切り替え、またはスクロールさせたリストの表示が可能であり、ＪＯＢ状況に変化があると前記表示中のリストの表示を更新し、前記表示中のリスト中のＪＯＢをユーザーの指示操作により選択が可能でありかつ選択ＪＯＢに対して指示操作が可能であり、前記表示中のリストの表示更新をする場合でページ切り替えまたはスクロールを含む表示更新が必要な場合、前記画面に表示されている少なくとも前記選択ＪＯＢを前記画面に留めて表示し、選択ＪＯＢへの指示操作があった場合は、指示操作に関するポップアップ画面の表示によって、選択ＪＯＢが覆い隠されない位置に前記選択ＪＯＢが表示されるように該選択ＪＯＢの表示位置を決定することを特徴とする画像形成装置。
【請求項７】
前記制御部は、選択ＪＯＢへの指示操作があった場合は、指示操作に関するポップアップ画面の表示によって、選択ＪＯＢが覆い隠されない位置に前記選択ＪＯＢが表示されるように該選択ＪＯＢの表示位置を決定することを特徴とする請求項３〜６のいずれか１項に記載の画像形成装置。
【請求項８】
ＪＯＢに基づいて画像形成を行う画像形成部と、
前記ＪＯＢに関する表示および操作が可能な表示操作部と、
前記ＪＯＢを管理し、前記画像形成部および前記表示操作部を制御する制御部と、を備え、
前記制御部は、前記表示操作部に対し、出力の予約順に一画面に所定個数内のＪＯＢを並べ、所定個数を超えるＪＯＢが存在する場合はユーザーの指示操作によりページを切り替え、またはスクロールさせたリストの表示が可能であり、ＪＯＢ状況に変化があると前記表示中のリストの表示を更新し、前記表示中のリスト中のＪＯＢをユーザーの指示操作により選択が可能でありかつ選択ＪＯＢに対して指示操作が可能であり、前記表示中のリストの表示更新をする場合でページ切り替えまたはスクロールを含む表示更新が必要な場合、前記画面に表示されている少なくとも前記選択ＪＯＢを前記画面に留めて表示し、選択ＪＯＢへの指示操作があった場合は、選択ＪＯＢを表示画面中のリストの先頭側または末尾側に表示するとともに、該選択ＪＯＢを覆い隠さない位置に、指示操作に関するポップアップ画面を表示することを特徴とする画像形成装置。
【請求項９】
前記制御部は、選択ＪＯＢへの指示操作があった場合は、選択ＪＯＢを表示画面中のリストの先頭側または末尾側に表示するとともに、該選択ＪＯＢを覆い隠さない位置に、指示操作に関するポップアップ画面を表示することを特徴とする請求項１、３〜８のいずれか１項に記載の画像形成装置。
【請求項１０】
前記制御部は、選択ＪＯＢへの指示操作があった場合は、選択ＪＯＢを覆い隠さない位置に、前記指示操作に関するポップアップ画面を表示することを特徴とする請求項１〜９のいずれか１項に記載の画像形成装置。
【請求項１１】
前記ポップアップ画面が、前記指示操作の実行確認のために表示されることを特徴とする請求項１、２、６〜１０のいずれか１項に記載の画像形成装置。
【請求項１２】
前記制御部は、前記リストの表示更新として、新規の予約により最後尾にＪＯＢを追加し、出力完了により先頭のＪＯＢを消し、ＪＯＢが消えることで後続のＪＯＢを上位に繰り上げて表示することを特徴とする請求項１〜１１のいずれか１項に記載の画像形成装置。
【請求項１３】
前記制御部は、選択ＪＯＢがない場合、前記リストの表示更新に際し、全てのＪＯＢを対象にして表示位置の変更をすることを特徴とする請求項１〜１２のいずれか１項に記載の画像形成装置。
【請求項１４】
前記制御部は、選択ＪＯＢがある場合、ＪＯＢの出力完了に拘わらず、選択ＪＯＢが存在する表示ページでは表示リスト中のＪＯＢの表示位置は繰り上げしないことを特徴とする請求項１〜１３のいずれか１項に記載の画像形成装置。
【請求項１５】
前記制御部は、選択ＪＯＢがある場合、選択ＪＯＢが存在する表示ページで表示リストの先頭に位置するまでは、ＪＯＢの出力完了に伴い逐次ＪＯＢを繰り上げてリストを表示更新し、前記選択ＪＯＢが前記表示リストの先頭に位置した以降は、ＪＯＢの出力完了に伴って前記表示リストで選択ＪＯＢの表示位置の繰り上げはしないことを特徴とする請求項１〜１４のいずれか１項に記載の画像形成装置。
【発明の詳細な説明】
【技術分野】
【０００１】
この発明は、ＪＯＢを管理してＪＯＢに基づいて画像形成を行い、前記ＪＯＢのリストの表示および操作が可能な画像形成装置に関する。
【背景技術】
【０００２】
複写機、プリンター、ファクシミリ、及びこれらの諸機能を備えた複合機等の電子写真方式の画像形成装置では、画像形成部において、原稿に対応した潜像を感光体に形成し、この潜像にトナーを付与することによって顕像化し、この顕像化されたトナー像を用紙に転写している。この後、用紙のトナー像を定着部で定着して排紙している。
上記画像形成は、画像データーを含むＪＯＢに基づいて実行され、該ＪＯＢは画像形成装置で管理されている。画像形成装置では、一般に予約ＪＯＢを出力順に管理しており、予約ＪＯＢは一覧にして表示操作部にリスト表示することができる。該リスト表示では、所定個数のＪＯＢを一画面に表示できるようにし、所定個数を超えるＪＯＢがある場合は、ユーザーの指示操作に基づく前記画面でページの切り替えやスクロールによって所定個数を超えるＪＯＢを表示できるようにしている（例えば特許文献１参照）。また、特許文献１では、アップキー、ダウンキーを設け、処理優先順位をユーザーによるアップキー、ダウンキーの指示操作で表示更新し、実行優先順を容易に確認できる構成が提案されている。
さらに、リスト表示されたＪＯＢの指示操作を可能にした画像形成装置が知られている（例えば特許文献２参照）。特許文献２で示される画像形成装置では、リスト上の予約ＪＯＢの少なくとも１つに対し、キャンセルの指示を可能にし、キャンセル指示があると、キャンセルの確認をする確認表示画面（ＰＯＰ−ＵＰ画面）を表示リスト上に表示して生産性を低下させることなく所望のＪＯＢに対するキャンセルを確実に行うことを可能にしている。
【先行技術文献】
【特許文献】
【０００３】
【特許文献１】特開平８−１９４５８８号公報
【特許文献２】特開２００３−１２５１２３号公報
【発明の概要】
【発明が解決しようとする課題】
【０００４】
ＪＯＢのリスト画面にてＪＯＢの実行に伴い表示が更新されていく構成、および選択ＪＯＢに対して削除などの指示操作を行った場合に実行確認の画面を表示する構成は従来からある。しかし、ＪＯＢを選択している状態で、ＪＯＢの出力完了に伴いＪＯＢの表示位置が上位にシフトしていき、ＪＯＢのリストのページ切り替えやスクロールがなされると、画面上から選択したＪＯＢが見えなくなってしまうことがある。例えば２ページ目を参照していて２ページ目に選択ＪＯＢが存在する場合では、出力の実行に伴い選択ＪＯＢの表示が１ページ目に移動してしまう。
このため、削除指示などの指示操作をＪＯＢに対し行った場合、正しい対象のＪＯＢかの判断が付きにくくなり、所望のＪＯＢと異なるＪＯＢを誤って削除してしまうなどの誤指示操作を招くおそれがある。
また表示リスト上に確認ＰＯＰ−ＵＰ画面を表示する場合、確認ＰＯＰ−ＵＰ画面の下にＪＯＢ表示が隠れてしまう系も同様で、対象ＪＯＢに見えない部分が生じてしまうため実行の判断がしづらいという問題がある。
【０００５】
本発明は、上記事情を背景としてなされたものであり、予約ＪＯＢのリストでＪＯＢの選択がなされている場合、リストの表示更新によって選択ＪＯＢが画面から消えることがない画像形成装置を提供することを目的とする。
【課題を解決するための手段】
【０００６】
すなわち、本発明の画像形成装置のうち、第１の本発明は、
ＪＯＢに基づいて画像形成を行う画像形成部と、
前記ＪＯＢに関する表示および操作が可能な表示操作部と、
前記ＪＯＢを管理し、前記画像形成部および前記表示操作部を制御する制御部と、を備え、
前記制御部は、前記表示操作部に対し、出力の予約順に一画面に所定個数内のＪＯＢを並べ、所定個数を超えるＪＯＢが存在する場合はユーザーの指示操作によりページを切り替え、またはスクロールさせたリストの表示が可能であり、ＪＯＢ状況に変化があると前記表示中のリストの表示を更新し、前記表示中のリスト中のＪＯＢをユーザーの指示操作により選択が可能でありかつ選択ＪＯＢに対して指示操作が可能であり、前記表示中のリストの表示更新をする場合でページ切り替えまたはスクロールを含む表示更新が必要な場合、前記画面に表示されている少なくとも前記選択ＪＯＢを前記画面に留めて表示し、選択ＪＯＢへの指示操作があった場合は、指示操作に関するポップアップ画面の表示によって、選択ＪＯＢが覆い隠されない位置に前記選択ＪＯＢが表示されるように該選択ＪＯＢの表示位置を決定し、ＪＯＢの選択終了後に、ＪＯＢ状況に変化があると、表示更新にしたがって再描画をすることを特徴とする。
第２の本発明の画像形成装置は、ＪＯＢに基づいて画像形成を行う画像形成部と、
前記ＪＯＢに関する表示および操作が可能な表示操作部と、
前記ＪＯＢを管理し、前記画像形成部および前記表示操作部を制御する制御部と、を備え、
前記制御部は、前記表示操作部に対し、出力の予約順に一画面に所定個数内のＪＯＢを並べ、所定個数を超えるＪＯＢが存在する場合はユーザーの指示操作によりページを切り替え、またはスクロールさせたリストの表示が可能であり、ＪＯＢ状況に変化があると前記表示中のリストの表示を更新し、前記表示中のリスト中のＪＯＢをユーザーの指示操作により選択が可能でありかつ選択ＪＯＢに対して指示操作が可能であり、前記表示中のリストの表示更新をする場合でページ切り替えまたはスクロールを含む表示更新が必要な場合、前記画面に表示されている少なくとも前記選択ＪＯＢを前記画面に留めて表示し、選択ＪＯＢへの指示操作があった場合は、選択ＪＯＢを表示画面中のリストの先頭側または末尾側に表示するとともに、該選択ＪＯＢを覆い隠さない位置に、指示操作に関するポップアップ画面を表示し、ＪＯＢの選択終了後に、ＪＯＢ状況に変化があると、表示更新にしたがって再描画をすることを特徴とする。
上記各本発明によれば、選択ＪＯＢへの指示操作があった際に、指示操作に関するポップアップ画面を選択ＪＯＢの表示と干渉することなく表示することができ、前記ポップアップ画面を表示したままで選択ＪＯＢの確認を容易に行うことができる。
第３の本発明の画像形成装置は、ＪＯＢに基づいて画像形成を行う画像形成部と、
前記ＪＯＢに関する表示および操作が可能な表示操作部と、
前記ＪＯＢを管理し、前記画像形成部および前記表示操作部を制御する制御部と、を備え、
前記制御部は、前記表示操作部に対し、出力の予約順に一画面に所定個数内のＪＯＢを並べ、所定個数を超えるＪＯＢが存在する場合はユーザーの指示操作によりページを切り替え、またはスクロールさせたリストの表示が可能であり、ＪＯＢ状況に変化があると前記表示中のリストの表示を更新し、前記表示中のリスト中のＪＯＢをユーザーの指示操作により選択が可能でありかつ選択ＪＯＢに対して指示操作が可能であり、前記表示中のリストの表示更新をする場合でページ切り替えまたはスクロールを含む表示更新が必要な場合、前記画面に表示されている少なくとも前記選択ＪＯＢを前記画面に留めて表示し、選択ＪＯＢがある場合、ＪＯＢの出力完了に関わらず、選択ＪＯＢが存在する表示ページでは表示リスト中のＪＯＢの表示位置は繰り上げせず、１ページ分のＪＯＢ数に該当するＪＯＢ数の出力が完了した時点で、表示ページのページ数のみをマイナス１して表示ページを切り替えることを特徴とする。
上記本発明によれば、選択ＪＯＢが存在する表示ページはそのままの状態で、１ページ分のＪＯＢ数の出力が完了すると、ページ数を変更して表示リストはそのまま表示することができ、リストの連続性を有したままで、選択ジョブの確認を容易にすることができる。
第４の本発明の画像形成装置は、ＪＯＢに基づいて画像形成を行う画像形成部と、
前記ＪＯＢに関する表示および操作が可能な表示操作部と、
前記ＪＯＢを管理し、前記画像形成部および前記表示操作部を制御する制御部と、を備え、
前記制御部は、前記表示操作部に対し、出力の予約順に一画面に所定個数内のＪＯＢを並べ、所定個数を超えるＪＯＢが存在する場合はユーザーの指示操作によりページを切り替え、またはスクロールさせたリストの表示が可能であり、ＪＯＢ状況に変化があると前記表示中のリストの表示を更新し、前記表示中のリスト中のＪＯＢをユーザーの指示操作により選択が可能でありかつ選択ＪＯＢに対して指示操作が可能であり、前記表示中のリストの表示更新をする場合でページ切り替えまたはスクロールを含む表示更新が必要な場合、前記画面に表示されている少なくとも前記選択ＪＯＢを前記画面に留めて表示し、選択ＪＯＢがある場合、選択ＪＯＢが存在する表示ページで表示リストの先頭に位置するまでは、ＪＯＢの出力完了に伴い逐次ＪＯＢを繰り上げて前記リストを表示更新し、選択ＪＯＢが表示ページの表示リストの先頭から前のページに移動したときは表示ページを前のページに切り替えることを特徴とする。
上記本発明によれば、出力完了に伴ってリスト中のＪＯＢを繰り上げ表示する際に、選択ＪＯＢのページ移動に伴って表示ページが切り替わることで、選択ＪＯＢが常に画面に表示され、選択ＪＯＢの確認を容易に行うことができる。
第５の本発明の画像形成装置は、前記第３の本発明において、前記制御部は、選択ＪＯＢがある場合、選択ＪＯＢが存在する表示ページで表示リストの先頭に位置するまでは、ＪＯＢの出力完了に伴い逐次ＪＯＢを繰り上げて前記リストを表示更新し、選択ＪＯＢが表示ページの表示リストの先頭から前のページに移動したときは表示ページを前のページに切り替えることを特徴とする。
第６の本発明の画像形成装置は、ＪＯＢに基づいて画像形成を行う画像形成部と、
前記ＪＯＢに関する表示および操作が可能な表示操作部と、
前記ＪＯＢを管理し、前記画像形成部および前記表示操作部を制御する制御部と、を備え、
前記制御部は、前記表示操作部に対し、出力の予約順に一画面に所定個数内のＪＯＢを並べ、所定個数を超えるＪＯＢが存在する場合はユーザーの指示操作によりページを切り替え、またはスクロールさせたリストの表示が可能であり、ＪＯＢ状況に変化があると前記表示中のリストの表示を更新し、前記表示中のリスト中のＪＯＢをユーザーの指示操作により選択が可能でありかつ選択ＪＯＢに対して指示操作が可能であり、前記表示中のリストの表示更新をする場合でページ切り替えまたはスクロールを含む表示更新が必要な場合、前記画面に表示されている少なくとも前記選択ＪＯＢを前記画面に留めて表示し、選択ＪＯＢへの指示操作があった場合は、指示操作に関するポップアップ画面の表示によって、選択ＪＯＢが覆い隠されない位置に前記選択ＪＯＢが表示されるように該選択ＪＯＢの表示位置を決定することを特徴とする。
第７の本発明の画像形成装置は、前記第３〜第６の本発明のいずれかにおいて、前記制御部は、選択ＪＯＢへの指示操作があった場合は、指示操作に関するポップアップ画面の表示によって、選択ＪＯＢが覆い隠されない位置に前記選択ＪＯＢが表示されるように該選択ＪＯＢの表示位置を決定することを特徴とする。
第８の本発明の画像形成装置は、ＪＯＢに基づいて画像形成を行う画像形成部と、
前記ＪＯＢに関する表示および操作が可能な表示操作部と、
前記ＪＯＢを管理し、前記画像形成部および前記表示操作部を制御する制御部と、を備え、
前記制御部は、前記表示操作部に対し、出力の予約順に一画面に所定個数内のＪＯＢを並べ、所定個数を超えるＪＯＢが存在する場合はユーザーの指示操作によりページを切り替え、またはスクロールさせたリストの表示が可能であり、ＪＯＢ状況に変化があると前記表示中のリストの表示を更新し、前記表示中のリスト中のＪＯＢをユーザーの指示操作により選択が可能でありかつ選択ＪＯＢに対して指示操作が可能であり、前記表示中のリストの表示更新をする場合でページ切り替えまたはスクロールを含む表示更新が必要な場合、前記画面に表示されている少なくとも前記選択ＪＯＢを前記画面に留めて表示し、選択ＪＯＢへの指示操作があった場合は、選択ＪＯＢを表示画面中のリストの先頭側または末尾側に表示するとともに、該選択ＪＯＢを覆い隠さない位置に、指示操作に関するポップアップ画面を表示することを特徴とする。
第９の本発明の画像形成装置は、前記第１、第３〜第８の本発明のいずれかにおいて、前記制御部は、選択ＪＯＢへの指示操作があった場合は、選択ＪＯＢを表示画面中のリストの先頭側または末尾側に表示するとともに、該選択ＪＯＢを覆い隠さない位置に、指示操作に関するポップアップ画面を表示することを特徴とする。
第１０の本発明の画像形成装置は、前記第１〜第９の本発明のいずれかにおいて、前記制御部は、選択ＪＯＢへの指示操作があった場合は、選択ＪＯＢを覆い隠さない位置に、前記指示操作に関するポップアップ画面を表示することを特徴とする。
第１１の本発明の画像形成装置は、前記第１、第２、第６〜第１０の本発明のいずれかにおいて、前記ポップアップ画面が、前記指示操作の実行確認のために表示されることを特徴とする。
上記本発明によれば、ＪＯＢの削除などの指示操作を誤りなく実行することができる。
【０００７】
上記本発明によれば、ＪＯＢ状況の変化によってリストの表示更新をする場合、ページ切り替えまたはスクロールに際しても選択ＪＯＢを画面に表示されたままにしておくことができる。
【０００８】
第１２の本発明の画像形成装置は、前記第１〜第１１の本発明のいずれかにおいて、前記制御部は、前記リストの表示更新として、新規の予約により最後尾にＪＯＢを追加し、出力完了により先頭のＪＯＢを消し、ＪＯＢが消えることで後続のＪＯＢを上位に繰り上げて表示することを特徴とする。
【０００９】
上記本発明によれば、ＪＯＢ状況の変化として、新規のＪＯＢ予約、出力完了、ＪＯＢ消去に応じて、リストの表示更新がなされる。
【００１０】
第１３の本発明の画像形成装置は、前記第１〜第１２の本発明のいずれかにおいて、前記制御部は、選択ＪＯＢがない場合、前記リストの表示更新に際し、全てのＪＯＢを対象にして表示位置の変更をすることを特徴とする。
【００１１】
上記本発明によれば、選択ＪＯＢがない場合は、全てのＪＯＢがリストの表示更新で同様の処理がなされる。
【００１２】
第１４の本発明の画像形成装置は、前記第１〜第１３の本発明のいずれかにおいて、前記制御部は、選択ＪＯＢがある場合、ＪＯＢの出力完了に拘わらず、選択ＪＯＢが存在する表示ページでは表示リスト中のＪＯＢの表示位置は繰り上げしないことを特徴とする。
【００１３】
上記本発明によれば、選択ＪＯＢが存在する表示ページでは、選択ＪＯＢの表示位置が変わらないので、選択ＪＯＢの確認を容易に行うことができる。
【００１６】
第１５の本発明の画像形成装置は、前記第１〜第１４の本発明のいずれかにおいて、前記制御部は、選択ＪＯＢがある場合、選択ＪＯＢが存在する表示ページで表示リストの先頭に位置するまでは、ＪＯＢの出力完了に伴い逐次ＪＯＢを繰り上げてリストを表示更新し、前記選択ＪＯＢが前記表示リストの先頭に位置した以降は、ＪＯＢの出力完了に伴って前記表示リストで選択ＪＯＢの表示位置の繰り上げはしないことを特徴とする。
【００１７】
上記本発明によれば、選択ＪＯＢが存在する表示画面で、出力完了に伴って、選択ＪＯＢが表示リストの先頭に到達するまでＪＯＢを繰り上げて表示更新することで、ＪＯＢ状況の変化を把握した上で、選択ＪＯＢの確認を容易にする。
【発明の効果】
【００２６】
すなわち、本発明の画像形成装置によれば、表示中の予約ＪＯＢのリスト中で選択されたＪＯＢがある場合、ＪＯＢの状況変化に伴うリストの表示更新で、選択ジョブを画面に表示した状態に留めることができ、削除などの指示操作時に、ＪＯＢを容易に確認でき、意図しないＪＯＢを削除してしまうなどの誤操作を防止する効果がある。
【図面の簡単な説明】
【００２７】
【図１】本発明の一実施形態に係る画像形成装置の構成例を示す図である。
【図２】同じく、画像形成装置のブロック構成例を示す図である。
【図３】従来の、予約ジョブのリストが２ページに亘って表示されたジョブリスト画面を示す図である。
【図４】同じく、予約ジョブのリストが２ページに亘って表示され、２ページ目でジョブが選択されたジョブリスト画面を示す図である。
【図５】同じく、ジョブリストの表示更新によって、選択ＪＯＢが見えなくなった２ページ目のジョブリスト画面を示す図である。
【図６】同じく、選択ＪＯＢが見えなくなった２ページ目のジョブリスト画面に確認用のポップアップ画面が表示された図である。
【図７】本発明の一実施形態に係るジョブリスト画面であって、リストの表示更新に際し選択ＪＯＢを含む表示リストで表示位置が変更されない図である。
【図８】同じく、他の実施形態に係るジョブリスト画面であって、リストの表示更新に際し選択ＪＯＢは表示リストの先頭までは表示位置が変更される図である。
【図９】同じく、さらに他の実施形態に係るジョブリスト画面であって、リストの表示更新に際し選択ＪＯＢは表示位置を変え、それに伴ってページの切り替えがされた図である。
【図１０】同じく、さらに他の実施形態に係るジョブリスト画面であって、リストの表示更新に際し選択ＪＯＢは表示リストの先頭に表示位置が変更され、選択ＪＯＢが覆われることなく確認用のポップアップ画面が表示された図である。
【図１１】同じく、リストの表示更新に際し選択ＪＯＢを含む表示リストで表示位置が変更されない手順を示すフローチャートである。
【図１２】同じく、リストの表示更新に際し選択ＪＯＢは表示リストの先頭までは表示位置が変更され、先頭に位置した後は表示位置が変更されない手順を示すフローチャートである。
【図１３】同じく、リストの表示更新に際し選択ＪＯＢは表示位置を変え、前ページに表示位置を変えるとそれに伴ってページの切り替えが行われる手順を示すフローチャートである。
【図１４】同じく、リストの表示更新に際し選択ＪＯＢは表示リストの先頭に表示位置が変更され、選択ＪＯＢが覆われることなく確認用のポップアップ画面が表示される手順を示すフローチャートである。
【発明を実施するための形態】
【００２８】
以下に、本発明の一実施形態を添付図面に基づいて説明する。
図１は、画像形成装置１全体の中央断面図であり、機械的な構成を示している。
以下に、その構成を説明する。
画像形成装置本体１ａは、その上部側に、ＣＣＤ１３１（図２示）を含むスキャナー部１３０、自動原稿搬送装置（ＡＤＦ）１３５が設けられて原稿の画像読取が可能になっている。また、画像形成装置本体１ａの上部側で、プラテンガラスが位置しない箇所に、タッチパネルからなる操作部１４０が設けられて、ユーザーによる操作および情報の表示が可能になっている。該操作部１４０は、本発明の操作表示部に相当する。本発明としては操作のみを行う操作部と表示が行われる表示部とが別体で構成されて操作表示部が構成されているもよく、表示部で一部の操作が可能になっているものであってもよい。表示部としては、ＣＲＴ、液晶、ＥＬなどのパネル形状のものが挙げられる。操作部としては、表示パネルの釦位置などに対応した座標位置の検出を行うタッチパネル、マウスやタッチペン、タブレットなどが挙げられる。
【００２９】
画像形成装置本体１ａの下部側には、複数の給紙トレイ（１−３）１６０（図では３段）が配置され、さらに画像形成装置本体１ａに付設するようにして大容量給紙トレイ１６１が配置されている。画像形成装置本体１ａ内には、給紙トレイから給紙される用紙を搬送する搬送路が設けられており、該搬送路途中に、ＬＤ部１５２、感光体１５３、帯電器１５４、現像器１５５、転写部１５６、定着器１５７などで構成される画像形成部が設けられており、スキャナー部１３０から得られた画像データーおよび、設定された画像形成条件に基づいて用紙に画像を形成する。上記給紙トレイや画像形成部、搬送路などによってプリンター部１５０が構成されている。
【００３０】
帯電器１５４、現像器１５５、転写部１５６等は、感光体１５３の周囲に配置されている。帯電器１５４は、画像書込み前に感光体１５３の表面を一様に帯電する。ＬＤ部１５２は、表面が一様に帯電された感光体１５３に半導体レーザーを照射することにより感光体１５３に静電潜像を形成する。現像器１５５は、ＬＤ部１５２によって感光体１５３に形成された静電潜像をトナー部材によって現像する。この現像処理によって感光体１５３にトナー画像が形成される。転写部１５６は、給紙トレイ（１−３）１６０や大容量給紙トレイ１６１から搬送されてきた用紙に感光体１５３のトナー画像を転写する。トナー画像が転写された用紙は、感光体１５３から分離されて定着器１５７に搬送される。感光体１５３に残留したトナー部材は、クリーニング部によって除去される。
【００３１】
定着器１５７は、搬送された用紙を加熱することにより用紙の表面側に転写されたトナー画像を定着する。定着処理が施された用紙は、片面印刷の場合にはそのまま後処理装置（ＦＮＳ）１８０に搬送される。後処理装置（ＦＮＳ）１８０では、ステイプル、パンチ、断裁などが行われる。一方、両面印刷の場合には、定着後の用紙がスイッチバックされて当該用紙の裏面側にプリンター部１５０で所定の画像が転写される。そして、両面に画像が形成された用紙は定着後に後処理装置（ＦＮＳ）１８０に搬送される。
【００３２】
画像形成装置１では、大容量給紙トレイ１６１、後処理装置（ＦＮＳ）１８０を備えるものについて説明したが、本発明としては、画像形成装置にこれらを備えないものであってもよい。
【００３３】
図２は、デジタル複合機（コピア、プリンター、スキャナー）として機能する画像形成装置１の回路ブロックを示す図であり、その内容を以下に詳細に説明する。
画像形成装置１は、制御ブロック１１０とスキャナー部１３０と操作部１４０とプリンター部１５０とを有するデジタルコピア本体と、ＬＡＮ４を通して端末（ＰＣ）３などの外部機器から入力される画像データーを処理し、またはスキャナー部１３０で得た画像データーを、ＬＡＮ４を通して端末（ＰＣ）３などの外部機器に転送可能にする画像処理手段（プリント＆スキャナーコントローラー）１６０とを備えている。
【００３４】
制御ブロック１１０には前記画像処理手段（プリント＆スキャナーコントローラー）１６０に接続されたＰＣＩバス１１２を有しており、該ＰＣＩバス１１２にＤＲＡＭ制御ＩＣ１１１が接続されている。ＤＲＡＭ制御ＩＣ１１１には、圧縮メモリー１２０とページメモリー１２１とからなる画像メモリーが接続されている。圧縮メモリー１２０は、ジョブスケジュール画面や原稿などの圧縮画像データーを格納するためのメモリーであり、ページメモリー１２１は、画像形成前にプリント対象の非圧縮画像データーを一時的に格納するためのメモリーである。
【００３５】
また、ＰＣＩバス１１２に接続されたＨＤＤ１２７は、画像形成装置１や画像処理手段（プリント＆スキャナーコントローラー）１６０に接続される端末（ＰＣ）３などにより生成されたジョブ等を保存する。ＨＤＤ１２７には、複数のジョブの保存が可能である。各ジョブには、ジョブ全体の情報とページ単位の情報と画像データーとが含まれている。
【００３６】
また、制御ブロック１１０には、画像制御ＣＰＵ１１３を備えており、該画像制御ＣＰＵ１１３に前記ＤＲＡＭ制御ＩＣ１１１が接続されている。
また、画像制御ＣＰＵ１１３には、ＲＯＭ１１４と不揮発メモリー１１５が接続されている。該不揮発メモリー１１５には、画像形成装置１の初期印刷設定情報や、プロセス制御パラメータ等の機械設定情報、ユーザー設定値、各給紙トレイの用紙情報（用紙サイズ、紙種など）の設定データー、予約ジョブの管理情報などが読み書き可能に格納されており、ＲＯＭ１１４には、上記画像制御ＣＰＵ１１３を動作させるためのプログラムなどが読み出し可能に格納されている。
【００３７】
画像制御ＣＰＵ１１３は、前記ＲＯＭ１１４や不揮発メモリー１１５の不揮発データーを読み取り可能であり、また、所望のデーターを不揮発データーとして不揮発メモリー１１５に書き込むことが可能である。画像制御ＣＰＵ１１３は、上記機械設定情報や印刷設定情報、ＪＯＢ管理情報などに従って画像形成装置１の各部を動作制御する。
画像制御ＣＰＵ１１３は、画像形成装置１全体を制御するものであり、ＲＯＭ１１４、不揮発メモリー１１５などとともに本発明の制御部を構成する。また、画像制御ＣＰＵ１１３は、ＨＤＤ１２７や圧縮メモリー１２０に格納されたＪＯＢの予約、実行等の管理制御を行う。
ＲＯＭ１１４、不揮発メモリー１１５やＨＤＤ１２７、図示しないＲＡＭなどは、記憶部に相当し、この記憶部に上記のようにＪＯＢに関するデーターが格納されている。
【００３８】
スキャナー部１３０は、光学読み取りを行うＣＣＤ１３１と、スキャナー部１３０全体の制御を行うスキャナー制御部１３２とを備えている。スキャナー制御部１３２は、前記画像制御ＣＰＵ１１３とシリアル通信可能に接続されている。また、前記ＣＣＤ１３１は、該ＣＣＤ１３１で読み取った画像データーを処理する読み取り処理部１１６に接続され、該読み取り処理部１１６には画像データーを圧縮処理する圧縮ＩＣ１１８が接続され、該圧縮ＩＣ１１８は前記したＤＲＡＭ制御ＩＣ１１１に接続されている。
【００３９】
操作部１４０は、表示部と操作部とを兼ね、本発明の表示操作部に相当するものであり、タッチパネルで構成されるＬＣＤ１４１と、操作部全体を制御する操作部制御部１４２とを備えている。該操作部制御部１４２は前記画像制御ＣＰＵ１１３にシリアル通信可能に接続されている。操作部１４０では、画像制御ＣＰＵ１１３の制御を受けて、ＬＣＤ１４１によって、画像形成装置１における印刷設定や動作制御条件などの機械設定入力、出力などに関する設定や、各給紙トレイの用紙情報の設定（サイズ、紙種）や、出力モード設定（例えば通常コピーモード、確認コピーモード）の設定などが可能になっている。さらには、操作部１４０は、設定内容の表示、予約ＪＯＢのリストなどの所望の情報等の表示が可能になっている。予約ＪＯＢのリスト表示では、表示中のＪＯＢを選択して、編集、削除などの指示操作を行うことができる。
【００４０】
また、前記ＤＲＡＭ制御ＩＣ１１１には、圧縮された画像データーを伸長する伸長ＩＣ１２５が接続されており、該伸長ＩＣ１２５には書き込み処理部１２６が接続されている。該書き込み処理部１２６は、プリンター部１５０のＬＤ部１５２（レーザダイオード）に接続され、該ＬＤ部１５２の動作に用いられる書き込みデーターの処理を行う。また、プリンター部１５０は、プリンター部１５０の全体（給紙、画像形成、排紙、後処理など）を制御するプリンター制御部１５１を備えており、プリンター制御部１５１は前記した画像処理ＣＰＵ１１３に接続されている。プリンター制御部１５１は画像制御ＣＰＵ１１３の制御指令に従って動作してプリンター部１５０を制御する。
【００４１】
また、前記ＤＲＡＭ制御ＩＣ１１１が接続されたＰＣＩバス１１２には、前記画像処理手段（プリント＆スキャナーコントローラー）１６０のＤＲＡＭ制御ＩＣ１６１が接続されている。前記画像処理手段（プリント＆スキャナーコントローラー）１６０は、画像形成装置をネットワークプリンターやネットワークスキャナーとして使用する場合に、ＬＡＮ４に接続される端末（ＰＣ）３などから画像データー等を画像形成装置１で受信したり、スキャナー部１３０で取得した画像データーをＬＡＮ４に接続される端末（ＰＣ）３などに送信したりするものである。画像処理手段（プリント＆スキャナーコントローラー）１６０では、ＤＲＡＭ制御ＩＣ１６１に、ＤＲＡＭなどで構成される画像メモリー１６２が接続されている。また、画像処理手段（プリント＆スキャナーコントローラー）１６０では、共通バスに前記ＤＲＡＭ制御ＩＣ１６１と、画像処理手段（プリント＆スキャナーコントローラー）１６０全体の制御を行うコントローラー制御ＣＰＵ１６３、ＬＡＮインターフェース１６５、ＨＤＤ１６６が接続されている。ＬＡＮインターフェース１６５は、ＬＡＮ４に接続されている。
【００４２】
次に、上記画像形成装置１の基本的動作について説明する。
先ず、画像形成装置１において画像データーを蓄積する手順について説明する。
第１に画像形成装置１において、スキャナー部１３０で画像を読み取り画像データーを生成する場合について説明する。スキャナー部１３０において原稿からＣＣＤ１３１により画像を光学的に読み取る。この際には、画像制御ＣＰＵ１１３から指令を受けるスキャナー制御部１３２によってＣＣＤ１３１の動作制御を行う。原稿の読み取りは、自動原稿搬送装置（ＡＤＦ）１３５によって行ってもよく、また、プラテンガラス上に原稿を置いて行ってもよい。
【００４３】
画像制御ＣＰＵ１１３はプログラムによって動作し、操作部１４０による操作に基づいてスキャナー部１３０への指令を発行する。ＣＣＤ１３１で読み取られた画像は、読み取り処理部１１６でデーター処理がなされ、データー処理された画像データーは、圧縮ＩＣ１１８において所定の方法によって圧縮され、ＤＲＡＭ制御ＩＣ１１１を介して圧縮メモリー１２０に格納される。また、ＨＤＤ１２７を用いる場合は、ＤＲＡＭ制御ＩＣ１１１を介して圧縮メモリー１２０に格納された画像データーをＨＤＤ１２７に格納する。
【００４４】
この他に画像データーは、ＬＡＮ４を介して画像形成装置１に入力される。上記画像データーとしては、例えば端末（ＰＣ）３などのアプリケーションプログラム等により生成されたものや他の画像形成装置により生成されたものが挙げられる。該データーは、ＬＡＮ４、ＬＡＮインターフェース１６５を介して画像処理手段（プリント＆スキャナーコントローラー）１６０で受信され、ＤＲＡＭ制御ＩＣ１６１によって画像メモリー１６２やＨＤＤ１６６に一旦格納される。上記画像メモリー１６２やＨＤＤ１６６のデーターは、ＰＣＩバス１１２を介してＤＲＡＭ制御ＩＣ１１１に転送され、ページメモリー１２１に一旦格納される。ページメモリー１２１に格納されたデーターは、ＤＲＡＭ制御ＩＣ１１１を介して圧縮ＩＣ１１８に順次送られて圧縮処理され、ＤＲＡＭ制御ＩＣ１１１を介して圧縮メモリー１２０に格納される。ＨＤＤ１２７に格納する場合、ＤＲＡＭ制御ＩＣ１１１を介して圧縮メモリー１２０に格納されたデーターをＨＤＤ１２７に格納する。
【００４５】
上記圧縮メモリー１２０やＨＤＤ１２７への画像データーの格納とともに出力条件などを操作部１４０で設定するなどして予約ＪＯＢを設定することができる。複数の予約ＪＯＢは、画像制御ＣＰＵ１１３で管理され、ＪＯＢ管理情報が不揮発メモリー１１５などの記憶部に格納される。ＪＯＢ管理情報には、出力の予約順が含まれる。
【００４６】
画像形成装置１で画像出力を行う場合、上記のようにしてＪＯＢ管理情報に基づいて圧縮メモリー１２０に格納された画像データーを、ＤＲＡＭ制御ＩＣ１１１を介して伸長ＩＣ１２５に送出してデーターを伸長する。ＨＤＤ１２７に格納された画像データーを画像出力する場合は、ＤＲＡＭ制御ＩＣ１１１を介して一旦圧縮メモリー１２０に格納し、ＤＲＡＭ制御ＩＣ１１１を介して伸長ＩＣ１２５に送出してデーターを伸長する。
伸長したデーターはＤＲＡＭ制御ＩＣ１１１を介して書き込み処理部１２６に送出して書き込みデーターを生成し、ＬＤ部１５２において感光体１５３への書き込みを行う。また、プリンター部１５０では、画像制御ＣＰＵ１１３の指令を受けたプリンター制御部１５１によって給紙トレイ（１−３）１６０、大容量給紙トレイ１６１、搬送路などの各部の制御が行われる。プリンター部１５０において、画像形成、用紙への転写、定着、搬送路による後処理装置（ＦＮＳ）１８０への搬送、後処理装置（ＦＮＳ）１８０での後処理などが順次行われて印刷出力が行われる。
【００４７】
画像制御ＣＰＵ１１３では、管理しているＪＯＢ管理情報に基づいて、操作部１４０に出力の予約順にＪＯＢのリストを表示することができる。
図３（ａ）（ｂ）は、操作部１４０に表示したジョブリスト画面１４１０を示すものである。該ジョブリスト画面１４１０は、操作画面１４００におけるジョブリストタブ１４０１を指示操作することにより表示される。
【００４８】
該画面では、各ＪＯＢ毎にファイル名、状態等が一行で表示されており、表示文字の大きさと画面との関係から所定個数（この例では１５個）のＪＯＢが一画面に表示可能になっている。出力中のＪＯＢは、リストの先頭に位置しており、ジョブリスト画面１４１０の最上位に表示されている。
【００４９】
ジョブリスト画面１４１０では、所定個数以上（この例では２４個）の予約ＪＯＢがある場合、一画面に全てのＪＯＢの表示を行うことができない。このため、図３（ａ）に示すように１ページ目に１５個のＪＯＢが表示され、２ページ目に９個のＪＯＢが表示される。
また、ジョブリスト画面１４１０には、ページアップ釦１４１１、ページダウン釦１４１２を押釦可能に表示して、ページアップ釦１４１１で前ページのジョブのリスト画面に遷移し、ページダウン釦１４１２で次ページのジョブリストの表示画面に遷移することができる。図３（ａ）は、１ページ目のＪＯＢリストが画面に表示されているため、ページアップ釦１４１１は、操作不可になっている。
【００５０】
図３（ａ）のジョブリスト画面１４１０でページダウン釦１４１２を押釦すると、図３（ｂ）に示すように２ページ面のジョブリストが表示されたジョブリスト画面１４１０に変わる。この例では、２頁目で全部のＪＯＢが表示されるため、３頁目はなく、図３（ｂ）のジョブリスト画面１４１０では、ページダウン釦１４１２が操作不可とされている。予約ＪＯＢの数がさらに多い場合は、３頁目以降の表示が可能になる。図３（ｂ）のジョブリスト画面１４１０で、ページアップ釦１４１１を押釦すると、図３（ａ）に示す１ページ目のジョブリスト画面１４１０に変わる。
【００５１】
また、ジョブリスト画面１４１０では、ユーザーの指示操作によるＪＯＢの選択が可能になっており、ＪＯＢの表示行を押釦することで該当するＪＯＢを選択することができる。選択ＪＯＢに対しては所定の指示操作を行うことが可能であり、そのため、ジョブリスト画面１４１０には、選択ＪＯＢを対象とする優先出力釦１４１３、削除釦１４１４、ＪＯＢの順序を変更する複数の釦を有する順序変更釦群１４１５、ジョブ内容を確認するためのチケット詳細釦１４１６などが押釦可能に表示されている。
【００５２】
ジョブリストでは、新規の予約により最後尾にＪＯＢを追加し、出力完了により先頭のＪＯＢを消し、ＪＯＢが消えることで後続のＪＯＢを上位に繰り上げる。これらのＪＯＢ状況の変化において、画像制御ＣＰＵ１１３では、ジョブリストを表示更新する。このため、先頭のＪＯＢの出力が完了するとＪＯＢの表示は一行ずつ繰り上がって表示され、２ページ以降のページを表示している際には、先頭のＪＯＢは前ページに繰り上がって画面からは見えなくなる。また、後ページがある場合には、最後尾の行に後ページの先頭のＪＯＢが繰り上がって新たに表示される。
【００５３】
図４（ａ）（ｂ）は、第２ページのジョブリストの先頭に位置するＪＯＢがユーザーの指示操作により選択されてＪＯＢ表示行１４１８が反転表示されているジョブリスト画面１４１０を示すものである。
ＪＯＢの選択は、当該ＪＯＢが表示されている状態でなされるため、図４（ｂ）の表示リストで選択がなされている。選択ＪＯＢに対しては削除釦１４１４などを押釦して前記したように指示操作を行うことができる。
ところで、ジョブリストの先頭にあるＪＯＢの出力がされ、出力が完了すると、従来は、上記したように表示更新がされ、図５に示すように、２ページ目の表示リスト先頭にあった選択ＪＯＢが１ページ目に繰り上げられてしまい、表示リスト上から消えてしまう。
【００５４】
また、図６は、選択ＪＯＢに関する指示操作がされた際に、確認用のポップアップ画面１４２０が２ページ目のジョブリスト画面１４１０に表示された従来例を示している。ポップアップ画面１４２０には、操作内容確認表示欄１４２１が設けられ、確認用の「はい」釦１４２２、「いいえ」釦１４２３が押釦可能に表示されている。操作者は、ポップアップ画面１４２０の表示を確認した上で、「はい」「いいえ」を選択することができる。しかし、上記のように画面上から選択ＪＯＢの表示が消えてしまっていると、ＪＯＢの確認を行うことができず、ＪＯＢの選択が正しいか否かを判断することが難しくなる。
なお、上記では、画面が切り替わる例について説明をしたが、画面がスクロールするものについても同様である。
【００５５】
図７（ａ）（ｂ）は、本発明の制御によって表示を行うジョブリスト画面１４３０を示すものである。図７（ａ）のジョブリスト画面１４３０では、ページ表示欄１４３１に示されるように、全２ページのうち２ページ目が表示されている。このジョブリスト画面１４３０でもユーザーの指示操作によるＪＯＢの選択が可能になっており、選択ＪＯＢに対する所定の指示操作を行う釦が表示されている。具体的には、選択ＪＯＢを対象とする優先出力釦１４３３、削除釦１４３４、ＪＯＢの順序を変更する複数の釦を有する順序変更釦群１４３５、ジョブ内容を確認するためのチケット詳細釦１４３６が押釦可能に表示されている。
【００５６】
ＪＯＢが選択されるとＪＯＢ表示行１４３８が反転表示される。この例では、選択ＪＯＢに対し削除釦１４３４が押釦された状態にある。
ＪＯＢが選択された状態で、ジョブリストの先頭にあるＪＯＢの出力が完了するとジョブリストから当該ジョブが削除され、ジョブリスト画面において順次ＪＯＢを繰り上げた表示更新がなされる。ただし、この実施形態では、選択ＪＯＢが表示されている表示リストでは、ＪＯＢの繰り上げは行われず、前ページ以前のジョブリストにおいてＪＯＢの出力完了に伴ってＪＯＢの繰り上げが行われる。すなわち、選択ＪＯＢが存在する表示リストでは、ＪＯＢの繰り上げが行われないで選択ＪＯＢが表示されたままになる。
この実施形態では、ＪＯＢのリストの表示更新に際し、選択ＪＯＢが存在する表示リストが、ＪＯＢの出力に拘わらず、そのまま表示されるので、選択ＪＯＢの確認を確実に行うことができる。
【００５７】
なお、ＪＯＢの繰り上げが進んで、１ページ分のＪＯＢが消去されると、１ページ分の空白が生じるため、選択ＪＯＢが存在するページ以降ではページ情報を繰り上げることもできる。
図７（ｂ）は、選択されているＪＯＢが表示されているページよりも前でＪＯＢの繰り上げが進んでページ情報が書き換えられたジョブリスト画面１４３０を示すものである。表示画面のＪＯＢリストの表示内容は変更されていないが、ページ表示欄１４３１が「２／２」から「１／１」に書き換えられている。
この実施形態では、ＪＯＢのリストの表示更新に際し、選択ＪＯＢが存在する表示リストが、ＪＯＢの出力に拘わらず、１ページ分のＪＯＢが出力完了するまでそのまま表示され、その後もページの切り替えによってそのまま表示されるので、多数のＪＯＢを順次出力する間も、選択ＪＯＢの確認を確実に行うことができる。
【００５８】
なお、図７（ａ）（ｂ）の各実施形態では、選択ＪＯＢが存在する表示リストではＪＯＢの繰り上げがなされないものであったが、本発明としては、表示リスト中で選択ＪＯＢが先頭ＪＯＢの出力完了に伴って繰り上げ表示されるものであってもよい。
図８は、例えば図７（ａ）に示すジョブリスト画面でＪＯＢを選択して先頭ＪＯＢが順次出力されて、選択ＪＯＢが存在する表示リストにおいて、選択ＪＯＢが先頭のＪＯＢ表示行１４４１に至ったジョブリスト画面１４４０を示している。
この実施形態ではさらに先頭ＪＯＢの出力完了がなされると、選択ＪＯＢの繰り上げは禁止され、表示画面に留まった状態になり、選択ＪＯＢの前のＪＯＢまでがＪＯＢの出力完了に伴って繰り上げ表示がなされる。
【００５９】
また、選択ＪＯＢが繰り上がって表示画面の先頭に達した後、さらにＪＯＢが出力されると、選択ＪＯＢを繰り上げるとともに表示ページを前ページに切り換えて表示するようにしてもよい。
図９のジョブリスト画面１４５０は、表示リストの先頭にあった選択ＪＯＢがＪＯＢの繰り上げによって前ページのリストの最後尾のＪＯＢ表示行１４５２に位置し、その繰り上げとともに画面が前ページに切り替わったものである。このため、ページ表示欄１４５１は、元ページの２ページ目から１ページ目に移ったことを示す「１／２」が示されている。
【００６０】
また、選択ＪＯＢの指示操作に応じてポップアップ画面を表示する場合、選択ＪＯＢを表示画面に留めるようにしても、ポップアップ画面をジョブリスト画面上に表示することで、選択ＪＯＢを確認できなくなる場合がある。その場合、ポップアップ画面の表示位置が固定されていれば、ポップアップ画面で覆われないように、選択ＪＯＢの表示位置を変更することができる。この場合、他のジョブとの順位が維持されるようにジョブリストをスクロールさせてもよい。また、選択ＪＯＢを覆わないようにポップアップ画面を表示位置を変更して表示してもよい。さらには、選択ＪＯＢを表示画面においてリストの先頭側や後尾側に表示するように表示位置を変更し、ポップアップ画面が表示位置を変えた選択ＪＯＢの表示行を覆わないように位置を調整してポップアップ画面を表示してもよい。
【００６１】
図１０（ａ）は、ポップアップ画面の表示に備えて選択ＪＯＢに関するＪＯＢ表示行１４６１を表示リストの先頭に位置するように表示を変更したジョブリスト画面１４６０を示すものである。
図１０（ｂ）は、選択ＪＯＢに関するＪＯＢ表示行１４６１をリストの先頭に位置させるとともに、ジョブリスト画面１４６０上に確認用のポップアップ画面１４７０を表示したものである。表示リストでは、ＪＯＢ表示行１４６１が表示された状態でポップアップ画面１４７０が表示されており、選択ＪＯＢを確認しつつポップアップ画面１４７０で指示操作を確認することができ、誤った指示操作を防止できる。
【００６２】
次に、上記各表示更新における制御手順を添付図のフローチャートに基づいて説明する。なお、以下の制御手順は画像制御ＣＰＵ１１３によって実行される。
図１１のフローチャートは、選択ＪＯＢがある場合、ＪＯＢの出力に伴って選択ＪＯＢが存在する表示リストではＪＯＢの繰り上げ表示は行わず、選択ＪＯＢが存在しない表示リストや選択ＪＯＢがない場合の表示リストでは、ＪＯＢの出力に伴ってＪＯＢの繰り上げを行う手順を示すものである。この例は、図７のジョブリスト表示画面１４３０における表示が相当する。以下にこの例の手順を図１１のフローチャートに基づいて説明する。
【００６３】
操作者による操作指示にしたがって、操作部１４０にジョブリスト画面が表示される（ステップｓ１）。次いで、表示中のリストでＪＯＢが選択されているかを判定し（ステップｓ２）、ＪＯＢが選択されていれば（ステップｓ２、ＹＥＳ）、選択ジョブを反転表示する（ステップｓ３）。
ＪＯＢが選択されていなければ（ステップｓ２、ＮＯ）、ＪＯＢが出力されたかを判定する（ステップｓ８）。
選択ジョブの反転表示（ステップｓ３）後、ＪＯＢ選択が解除されたかを判定し（ステップｓ４）、ＪＯＢ選択が解除されていなければ（ステップｓ４、ＮＯ）、ＪＯＢが出力されたかを判定する（ステップｓ５）。ＪＯＢ選択が解除されていれば（ステップｓ４、ＹＥＳ）、選択ジョブの反転表示を解除し（ステップｓ７）、ＪＯＢが出力されたかを判定する（ステップｓ８）。
【００６４】
ＪＯＢ選択が解除されておらず（ステップｓ４、ＮＯ）、ＪＯＢが出力されていれば（ステップｓ５、ＹＥＳ）、選択ＪＯＢが存在する画面を表示中かを判定する（ステップｓ６）。選択ＪＯＢを画面に表示中であれば（ステップｓ６、ＹＥＳ）、画面中のＪＯＢの繰り上げ表示は行わず、ステップｓ２に戻る。選択ＪＯＢを画面に表示中でない場合（ステップｓ６、ＮＯ）、ＪＯＢ表示を上にシフトする繰り上げを行い再描画表示、すなわち表示更新をし（ステップｓ９）、ステップｓ２に戻る。ＪＯＢが出力されていない場合（ステップｓ５、ＮＯ）も、ステップｓ２に戻る。
【００６５】
ステップｓ７の選択ＪＯＢの反転表示解除後、または、ステップｓ２でＪＯＢが選択されていないと判定された場合には、上記のようにＪＯＢが出力されたかを判定する（ステップｓ８）。ＪＯＢが出力されていれば（ステップｓ８、ＹＥＳ）、ジョブを上にシフトする繰り上げを行う表示更新をし（ステップｓ９）、ステップｓ２に戻り、ＪＯＢが出力されていなければ（ステップｓ８、ＮＯ）、そのままステップｓ２に戻る。
【００６６】
図１２のフローチャートは、選択ＪＯＢが画面に表示されている場合、ＪＯＢの出力に伴って選択ＪＯＢが画面のリストの先頭に至るまでは繰り上げの表示を行い、画面のリストの先頭に至った後は、画面におけるＪＯＢの繰り上げは行わない手順を示すものである。この例は、図８のジョブリスト表示画面１４４０における表示が相当する。以下にこの例の手順を図１２のフローチャートに基づいて説明する。
【００６７】
操作者による操作指示にしたがって、操作部１４０にジョブリスト画面が表示される（ステップｓ１０）。次いで、表示中のリストでＪＯＢが選択されているかを判定し（ステップｓ１１）、ＪＯＢが選択されていれば（ステップｓ１１、ＹＥＳ）、選択ジョブを反転表示する（ステップｓ１２）。ＪＯＢが選択されていなければ（ステップｓ１１、ＮＯ）、ＪＯＢが出力されたかを判定する（ステップｓ１８）。
選択ジョブの反転表示（ステップｓ１２）後、ＪＯＢ選択が解除されたかを判定し（ステップｓ１３）、ＪＯＢ選択が解除されていなければ（ステップｓ１３、ＮＯ）、ＪＯＢが出力されたかを判定する（ステップｓ１４）。ＪＯＢ選択が解除されていれば（ステップｓ１３、ＹＥＳ）、選択ジョブの反転表示を解除し（ステップｓ１７）、ＪＯＢが出力されたかを判定する（ステップｓ１８）。
【００６８】
ＪＯＢ選択が解除されておらず（ステップｓ１３、ＮＯ）、ＪＯＢが出力されていれば（ステップｓ１４、ＹＥＳ）、選択ＪＯＢの画面を表示中かを判定する（ステップｓ１５）。ＪＯＢが出力されていない場合（ステップｓ１４、ＮＯ）はステップｓ１１に戻る。
選択ＪＯＢを画面に表示中であれば（ステップｓ１５、ＹＥＳ）、選択ＪＯＢが表示ページのリストの先頭かを判定する（ステップｓ１６）。選択ジョブの画面ページを表示中でない場合（ステップ１５、ＮＯ）、ＪＯＢを上にシフトする繰り上げを行い再描画表示、すなわち表示を更新し（ステップｓ１９）、ステップｓ１１に戻る。
選択ＪＯＢが表示ページのリストの先頭かを判定した結果、選択ＪＯＢが表示ページの先頭にある場合（ステップｓ１６、ＹＥＳ）、ＪＯＢの繰り上げを行うことなく、ステップｓ１１に戻る。選択ＪＯＢが表示ページの先頭にはない場合（ステップｓ１６、ＮＯ）、ＪＯＢを上にシフトする繰り上げを行い再描画表示し（ステップｓ１９）、ステップｓ１１に戻る。
【００６９】
ステップｓ１７の選択ＪＯＢの反転表示解除後、または、ステップｓ１１でＪＯＢが選択されていないと判定された場合には、上記のようにＪＯＢが出力されたかを判定する（ステップｓ１８）。ＪＯＢが出力されていれば（ステップｓ１８、ＹＥＳ）、ジョブを上にシフトする繰り上げを行い表示を更新し（ステップｓ１９）、ステップｓ１１に戻り、ＪＯＢが出力されていなければ（ステップｓ１８、ＮＯ）、そのままステップｓ１１に戻る。
【００７０】
図１３のフローチャートは、選択ＪＯＢが画面に表示されている場合、ＪＯＢの出力に伴って選択ＪＯＢが画面のリストの先頭に至るまでは繰り上げ表示を行い、画面のリストの先頭に至った後は、さらにＪＯＢの繰り上げを行うとともに、選択ＪＯＢが表示されるようにページの切り替えを行う手順を示すものである。この例は、図９のジョブリスト表示画面１４５０における表示が相当する。以下にこの例の手順を図１３のフローチャートに基づいて説明する。
【００７１】
操作者による指示にしたがって、操作部１４０にジョブリスト画面が表示される（ステップｓ２０）。次いで、表示中のリストでＪＯＢが選択されているかを判定し（ステップｓ２１）、ＪＯＢが選択されていれば（ステップｓ２１、ＹＥＳ）、選択ジョブを反転表示する（ステップｓ２２）。ＪＯＢが選択されていなければ（ステップｓ２１、ＮＯ）、ＪＯＢが出力されたかを判定する（ステップｓ２９）。
選択ジョブの反転表示（ステップｓ２２）後、ＪＯＢ選択が解除されたかを判定し（ステップｓ２３）、ＪＯＢ選択が解除されていなければ（ステップｓ２３、ＮＯ）、ＪＯＢが出力されたかを判定する（ステップｓ２４）。ＪＯＢ選択が解除されていれば（ステップｓ２３、ＹＥＳ）、選択ジョブの反転表示を解除し（ステップｓ２７）、ＪＯＢが出力されたかを判定する（ステップｓ２８）。
【００７２】
ＪＯＢ選択が解除されておらず（ステップｓ２３、ＮＯ）、ＪＯＢが出力されていれば（ステップｓ２４、ＹＥＳ）、選択ＪＯＢの画面を表示中かを判定する（ステップｓ２５）。ＪＯＢが出力されていない場合（ステップｓ２４、ＮＯ）はステップｓ２１に戻る。
選択ＪＯＢを画面に表示中であれば（ステップｓ２５、ＹＥＳ）、選択ＪＯＢが表示ページの表示リストの先頭かを判定する（ステップｓ２６）。選択ＪＯＢの画面を表示中でない場合（ステップ２５、ＮＯ）、ＪＯＢを上にシフトする繰り上げを行い再描画表示、すなわち表示を更新し（ステップｓ３０）、ステップｓ２１に戻る。
選択ＪＯＢが表示ページの表示リストの先頭かを判定した結果、選択ＪＯＢが表示ページの表示リスト先頭にある場合（ステップｓ２６、ＹＥＳ）、ＪＯＢを上にシフトする繰り上げを行うとともに、表示ページを前ページに切り換えて選択ＪＯＢを表示ページに表示したままにし、ステップｓ２１に戻る。選択ＪＯＢが表示ページの表示リスト先頭にはない場合（ステップｓ２６、ＮＯ）、ＪＯＢを上にシフトする繰り上げを行い再描画表示し（ステップｓ３０）、ステップｓ２１に戻る。
【００７３】
ステップｓ２８の選択ＪＯＢの反転表示解除後、または、ステップｓ２１でＪＯＢが選択されていないと判定された場合には、上記のようにＪＯＢが出力されたかを判定する（ステップｓ２９）。ＪＯＢが出力されていれば（ステップｓ２９、ＹＥＳ）、ジョブを上にシフトする繰り上げを行い表示を更新し（ステップｓ３０）、ステップｓ２１に戻り、ＪＯＢが出力されていなければ（ステップｓ２９、ＮＯ）、そのままステップｓ２１に戻る。
【００７４】
図１４のフローチャートは、選択ＪＯＢに関するポップアップ画面が表示される場合、選択ＪＯＢがポップアップ画面で隠れないように、選択ＪＯＢを表示ページの表示リスト先頭に表示位置を変更する手順を示すものである。この例は、図１０のジョブリスト表示画面１４６０における表示が相当する。以下にこの例の手順を図１４のフローチャートに基づいて説明する。
【００７５】
操作者による指示にしたがって、操作部１４０にジョブリスト画面が表示される（ステップｓ４０）。次いで、ＪＯＢの削除指示があるかを判定し（ステップｓ４１）、ＪＯＢの削除指示がなければ（ステップｓ４１、ＮＯ）、処理を終了する。ＪＯＢの削除指示があれば（ステップｓ４１、ＹＥＳ）、ＪＯＢが選択されているかを判定する（ステップｓ４２）。ＪＯＢが選択されていなければ（ステップｓ４２、ＮＯ）、処理を終了する。ＪＯＢが選択されていれば（ステップｓ４２、ＹＥＳ）、選択ＪＯＢを表示ページの先頭になる位置にシフトさせて表示更新する（ステップｓ４３）。このシフトでは、選択ＪＯＢだけをシフトしてもよく、表示リストの他のＪＯＢも連動してシフトさせてもよい。後述する確認ポップアップ画面が表示されて、消去された後、ＪＯＢの表示をシフト前に戻す処理を行うこともできる。
【００７６】
選択ＪＯＢの表示位置を変更した後、選択ＪＯＢの削除実行確認ポップアップ画面を表示する（ステップｓ４４）。ポップアップ画面は、削除確認に限定されるものではない。ポップアップ画面の表示後、処理を終了する。
上記の手順は、選択ＪＯＢを表示画面に留める前記した各手順の中で実行することができる。
【００７７】
以上、本発明について上記各実施形態に基づいて説明を行ったが、本発明は上記実施形態の内容に限定されるものではなく、当然に本発明を逸脱しない限りは適宜の変更が可能である。
【符号の説明】
【００７８】
１  画像形成装置
１１３  画像制御ＣＰＵ
１４０  操作部
１５０  プリンター部
１５２  ＬＤ部
１５３  感光体
１５４  帯電器
１５５  現像器
１５６  転写部
１５７  定着器
１４１０  ジョブリスト画面
１４２０  ジョブリスト画面
１４３０  ジョブリスト画面
１４４０  ジョブリスト画面
１４５０  ジョブリスト画面
１４６０  ジョブリスト画面
１４７０  ポップアップ画面
【図１】
0005598678.tif 000002
【図２】
0005598678.tif 000003
【図３】
0005598678.tif 000004
【図４】
0005598678.tif 000005
【図５】
0005598678.tif 000006
【図６】
0005598678.tif 000007
【図７】
0005598678.tif 000008
【図８】
0005598678.tif 000009
【図９】
0005598678.tif 000010
【図１０】
0005598678.tif 000011
【図１１】
0005598678.tif 000012
【図１２】
0005598678.tif 000013
【図１３】
0005598678.tif 000014
【図１４】
0005598678.tif 000015